(57)【要約】【課題】床等に接する底面を足裏当接面に当接させることなく保持できる保持部を有するスリッパであって、スリッパを履いて使用する際には、違和感がなく、しかも、保持部が磨耗する恐れのないスリッパを提供する。【解決手段】本願発明のスリッパ１は、甲皮２０を有するスリッパ本体部２と、合成ゴム製の保持片３とを備えている。保持片３は、甲皮２０上方側に左右方向に沿って伸ばされ、左端側がスリッパ本体部２の左側面に、右端側がスリッパ本体部２の右側面に夫々縫い付けられることによって、その間に保持部３３が形成されたものとされている。そして、この保持部３３をスリッパ本体部２の前端側から底面側に回すことにより、他方のスリッパを底面側に保持できる。【選択図】図１
2005000350.tif 000002
【特許請求の範囲】
【請求項１】
一対の履物を構成する一方が、履物本体部と、他方を保持・保持解除可能に保持する保持部とを備え、
この保持部は、履物本体部の上面から側面にかけての非接地面に設けられたものであることを特徴とする履物。
【請求項２】
前記保持部は、履物本体部の非接地面側から履物本体部の接地面となる底面側に移動可能とされることにより、履物本体部の底面側に他方の履物を保持できるようにされたものであることを特徴とする請求項１記載の履物。
【請求項３】
前記保持部は、履物本体部の前部側に配設された折り曲げ自在な保持片の一部に形成されたものであることを特徴とする請求項１又は２記載の履物。
【請求項４】
前記保持片の両端は、履物本体部の左部と右部とに、夫々、取り付けられ、
前記保持部は、その履物本体部に取り付けられた保持片の両端間に、履物本体部の非接地面側から履物本体部の前端側に回してその前端側から底面側に回しこませることができるように、形成されたものであることを特徴とする請求項３記載の履物。
【請求項５】
前記保持片は、弾性によって伸縮し得る伸縮部を有するものであることを特徴とする請求項３又は４記載の履物。
【発明の詳細な説明】
【０００１】
【発明の属する技術分野】
この発明は、スリッパ、草履、下駄、靴等の履物に関するものである。
【０００２】
【従来の技術】
例えばスリッパは、左足用のものと右足用のものとの一対で使用されるが、履き終えた使用後に、左足用のものと右足用のものとがばらばらに離れてしまう。そのため、例えば再度履く場合、或いは、下駄箱等に収納する場合に、ばらばらに離れた左足用のものと右足用のものとを揃えなければならず、面倒なものである。
【０００３】
又、下駄箱等に収納する場合等に、左足用のものと右足用のものを左右に並べて収納したのでは、収納面積が大きくなってしまう。そのため、従来から、例えば図１０に示すように左足用又は右足用の何れか一方のスリッパ１１０に設けられた足挿入部１１０ａに、他方のスリッパ１１０の前部側を挿入し、その状態で収納される場合も多い。しかし、スリッパ１１０の足挿入部１１０ａに他方のスリッパ１１０の前部側を挿入したのでは、一方のスリッパ１１０に形成された足裏当接面１１０ｂに、他方のスリッパ１１０の床等に接地する底面１１０ｃが当接してしまい、衛生的に好ましくない。
【０００４】
そこで、この問題点を解決するものとして、例えば図１１に示すようなスリッパが提案されている。
【０００５】
このスリッパ１００は、底面１０１に、複数の凹部１０１ａと、凹部１０１ａに嵌り込み可能な形状を有する複数の凸部１０１ｂとを設けたものである。そして、下駄箱等に収納する場合等には、このスリッパ１００と、このスリッパ１００と同形状に形成した他方のスリッパ１００との互いの凹部１０１ａと凸部１０１ｂとを嵌め入れる。これにより、両者の底面１０１、１０１同士を当接させた状態で保持させることができ、衛生的に好ましいものにできる（例えば、特許文献１参照）。
【０００６】
【特許文献１】
特開平１１−３４２００２号公報
【０００７】
しかしながら、このスリッパ１００は、床等への接地面になる底面１０１に、複数の凹部１０１ａと、凹部１０１ａに嵌り込み可能な形状を有する複数の凸部１０１ｂとを設けているため、履いた際に違和感を生じる恐れがある。又、底面が磨耗によって磨り減ると、凹部１０１ａと凸部１０１ｂとを勘合させることができなくなる恐れがある。
【０００８】
【発明が解決しようとする課題】
本願発明は、一対の履物を構成する一方の底面を、他方の足裏当接面に当接させることなく保持できる保持部を有する履物であって、履物を履いて使用する際には、違和感がなく、しかも、保持部が磨耗する恐れのない履物を提供することを目的とする。
【０００９】
【課題を解決するための手段及び発明の作用効果】
本願の請求項１記載の発明は、一対の履物を構成する一方が、履物本体部と、他方を保持・保持解除可能に保持する保持部とを備え、この保持部は、履物本体部の上面から側面にかけての非接地面に設けられたものであることを特徴とする履物である。
【００１０】
本願の請求項２記載の発明の前記保持部は、履物本体部の非接地面側から履物本体部の接地面となる底面側に移動可能とされることにより、履物本体部の底面側に他方の履物を保持できるようにされたものであることを特徴とする履物である。ここに、「履物本体部の非接地面側から履物本体部の接地面となる底面側に移動可能」とは、保持部が、履物本体部の底面よりも上方側となる位置から、底面よりも下方側となる位置に移動できることをいう。
【００１１】
本願の請求項３記載の発明は、前記保持部は、履物本体部の前部側に配設された折り曲げ自在な保持片の一部に形成されたものであることを特徴とする履物である。
【００１２】
本願の請求項４記載の発明の前記保持片の両端は、履物本体部の左部と右部とに、夫々、取り付けられ、前記保持部は、その履物本体部に取り付けられた保持片の両端間に、履物本体部の非接地面側から履物本体部の前端側に回してその前端側から底面側に回しこませることができるように、形成されたものであることを特徴とする履物である。
【００１３】
本願の請求項５記載の発明の前記保持片は、弾性によって伸縮し得る伸縮部を有するものであることを特徴とする履物である。
【００１４】
以上のように構成された本願の請求項１に記載の発明においては、保持部は履物本体部の上面から側面にかけての非接地面に設けられたものとするため、履いて使用する場合に、保持部が床等に接することのないものにできる。これにより、違和感なく履くことができる。しかも、保持部が磨耗するようなことを防止でき、保持部が一対を構成する他方の履物を保持できなくなるようなことを防止できる。
【００１５】
本願の請求項２に記載の発明においては、保持部は、履物本体部の非接地面側から履物本体部の接地面となる底面側に移動可能とされる。こうすることにより、例えば一対を構成する他方の履物を保持する場合には、保持部を、履物本体部の非接地面側から履物本体部の底面側に移動操作し、履物本体部の底面側に他方の履物を保持できる。従って、例えば一対を構成する履物の底面同士を合わせた状態にして保持できる。
【００１６】
本願の請求項３に記載の発明においては、保持部は、履物本体部の前部側に配設された折り曲げ自在な保持片の一部に形成されたものとする。足裏が当接する履物本体部の足裏当接面の上方側に保持部を設けておくと、履物を履いて使用する場合には、保持部を踏まなければならず、違和感の生じる恐れがある。しかし、履物本体部の前部側には、足の甲を覆う甲皮が設けられており、保持部を、甲皮の上面に設けることができる。これにより、履物を履いて使用する場合にも、保持部を踏まなくてもよく、違和感の生じる恐れのないものにできる。
【００１７】
又、保持部は、折り曲げ自在な保持片の一部に形成したものとするため、他方の履物を保持する際に、保持片を折り曲げて保持部を履物本体部の非接地面側から底面側に容易に移動させることができ、保持するための操作を容易に行うことができる。
【００１８】
本願の請求項４に記載の発明においては、他方の履物を保持する場合には、保持部を持って、履物本体部の前端側に回し、更にその前端側から底面側に回しこませる。これにより、他方の履物を保持部と底面との間に両者で挟み付けるようにして保持でき、保持するための操作を、より一層容易なものにできる。
【００１９】
また、製作にあたっては、例えば一本の保持片の両端を履物本体部に縫い付けるようにして保持部を形成することもでき、容易に低コストで製作できる。
【００２０】
本願の請求項５に記載の発明においては、保持片は、弾性によって伸縮し得る伸縮部を備えたものとする。こうすることにより、他方の履物を保持部で保持しない場合には、例えば図１及び図２に示すように保持部を弾性によって甲皮に接した状態にしておくことができる。これにより、例えば履物を履いて使用しても、保持部をその位置に維持させておくことができ、不意に保持部が履物本体部の前端に回り込んで底面側に移動し歩行の邪魔になるようなことを防止できる。
【００２１】
一方、他方の履物を保持部で保持する場合は、例えば図１に示すように甲皮の上方側に配設された状態の保持部を、履物本体部の前端に回りこませて底面側に移動する操作を容易に行うことができる。又、保持に際しては、弾性によって他方の履物を底面に押し付けて確実に保持できる。
【００２２】
【発明の実施の形態】
図１は、本願発明の一実施の形態の履物としてのスリッパの平面図、図２は、その側面図、図３は、図２のＩＩＩ−ＩＩＩ線断面図である。
【００２３】
本実施形態の履物としてのスリッパ１は、履物本体部としてのスリッパ本体部２と、スリッパ本体部２に取り付けられた保持片３とを備えている。
【００２４】
スリッパ本体部２は、この実施形態では、左足用としても右足用としても使用できる左右兼用のものとされている。従って、例えば図１、図２に示すスリッパ１と、このスリッパ１と同構成を採るもう一つのスリッパとの二つで、左足用と右足用との一対を構成するようにして使用できる。
【００２５】
このスリッパ本体部２は、履物底としてのスリッパ底１０と、スリッパ底１０の上面の前部側に取り付けられた甲皮２０とを備えている。
【００２６】
スリッパ底１０は、この実施形態では、上層１１と、下層１２との二層から構成されている。これらの上層１１と下層１２とは、上下に重ね合わされるようにして周部が縫い付けられることにより接着されている。このようにして形成されたスリッパ底１０の底面は、スリッパ本体部２の底面１５となり、使用に際して地面や床に接地する接地面を構成する。又、スリッパ底１０の上面は、足裏が当接するスリッパ本体部２の足裏当接面１３を構成する。スリッパ底１０の側面は、スリッパ本体部２の側面１４となる。又、これらのスリッパ本体部２の側面１４から上面にかけての部分は、使用に際して地面や床に接地しない非接地面を構成する。
【００２７】
甲皮２０は、スリッパ底１０における上層１１と下層１２とが縫い付けられる際に、同時に周部が縫い付けられている。これにより、甲皮２０が、スリッパ底１０の前部側の足裏当接面１３を上方側から覆い、その足裏当接面１３と甲皮２０との間に、足を挿入する足挿入部４を形成している。従って、この実施形態のスリッパ本体部２の前部側の上面は、甲皮２０の上面によって構成され、スリッパ本体部２の後部側の上面は、スリッパ底１０の足裏当接面１３によって構成されている。
【００２８】
保持片３は、両端に、スリッパ本体部２に取り付けられた本体取付部３１、３１を備えているとともに、それらの本体取付部３１、３１の間に、このスリッパ１とで一対を構成する他方のスリッパ（以下、「他方のスリッパ」という）を保持・保持解除可能に保持するための保持部３３を備えている。この実施形態の保持片３は、合成ゴム製の一本の紐状のものから構成され、長さ方向に引っ張り力を付与することにより長さを伸ばすことができ、その引っ張り力の付与を止めれば弾性によって元の長さに縮む伸縮自在とされている。
【００２９】
このように構成された保持片３は、図１に示すように保持部３３がスリッパ本体部２の甲皮２０の上面の上方側に、左右方向に沿って伸ばされた状態で、本体取付部３１、３１がスリッパ本体部２の左側面、右側面に、夫々、取り付けられている。
【００３０】
この本体取付部３１、３１とスリッパ本体部２との取り付けは、この実施形態では、図３に示すようにスリッパ本体部２のスリッパ底１０の上層１１と下層１２との間に本体取付部３１、３１を挟み込むようにし、上層１１と下層１２とを縫い付ける際に、いっしょに本体取付部３１、３１を縫い付けるようにして行っている。又、この取り付け状態で、保持片３が、甲皮２０の上面を押圧することなく上面に接する程度とされている。
【００３１】
次に、本実施形態のスリッパ１の機能について説明する。
【００３２】
スリッパ１を下駄箱等に収納しておく場合は、図４に示すように、上記のように構成した二つのスリッパ１、１を、前後及び上下方向を互いに逆にして底面１５、１５同士を合わせた状態にする。そして、その状態から、例えばこの図４で左側に現れたスリッパ１の保持部３３を引っ張り操作し、その左側のスリッパ１の前端側に回し、更にその前端側から底面１５側に回す。これにより、保持部３３を、右側の保持すべきスリッパ１における後部側の足裏当接面１３側に回し込ませることができる。
【００３３】
そして、この状態で、保持部３３から手を離す。これにより、保持片３の弾性によって、保持部３３が、右側のスリッパ１における後部側の足裏当接面１３に当接して底面１５側に押圧し、保持部３３と底面１５とで挟み付けるようにして保持する。これにより、左側のスリッパ１の前部側に右側のスリッパ１の後部側を保持できる。
【００３４】
同様に、図３で右側に現されたスリッパ１の保持部３３を引っ張り操作し、保持部３３をそのスリッパ１の前端側から、左側のスリッパ１における後部側の足裏当接面１３に回り込ませる。これにより、左側のスリッパ１の後部側に右側のスリッパ本体部２の前部側を保持できる。
【００３５】
以上により、スリッパ１、１を一対にして、底面１５，１５同士を合わせた状態で保持できる。従って、この状態で、下駄箱等に収納するようにすれば、収納面積を少なくでき、多数のスリッパを効率良く収納できる。又、その保持に際し、スリッパ１、１の底面１５、１５同士を合わせているため、一方のスリッパ１の足裏当接面１３に他方の底面１５が接することによる汚れを防止でき、清潔に維持できる。
【００３６】
一方、保持したスリッパ１を履いて使用する場合は、保持片３の保持部３３を、上記とは反対の操作をする。即ち、図４において、右側に現れたスリッパ１の足裏当接面１３に保持している左側のスリッパ１の保持部３３を、その左側のスリッパ１の前端に回り込ませるようにして甲皮２０側に回すとともに、左側のスリッパ１の足裏当接面１３に保持している右側のスリッパ１の保持部３３を、そのスリッパ１の前端に回り込ませるようにして右側のスリッパ１の甲皮２０側に回す。
【００３７】
これにより、保持したスリッパ１を保持解除でき、スリッパ１、１を履いて使用できる。又、保持を外した後の保持部３３を、保持片３の弾性によって甲皮２０に接した状態に維持させておくことができる。例えば保持片３を弾性の有しないものから構成しスリッパ１を履くと、スリッパ本体部２に対して保持片３の保持部３３が動き、保持部３３が不意にスリッパ本体部２の前端に回り込んで底面側１５側に移動し、歩行の邪魔になる恐れがある。しかし、この実施形態のように、保持部３３を弾性によって甲皮２０に接した状態に維持させておくことによりそのようなことを防止できる。
【００３８】
尚、上記実施形態では、保持片３を一つのものから構成しているが、この形態のものに限らず、保持片３を、互いに接続可能な二つの接続保持片３０，３０から構成するようにしても良い。
【００３９】
例えば図５Ａに示すように二つの接続保持片３０、３０の各先端部に、互いに取り外し自在に接続可能な接続部３０ａ、３０ａを設けたものとしておく。そして、保持片３を使用しない場合は、この図５Ａに示すように各接続保持片３０、３０を甲皮２０の上方側に回して接続部３０ａ、３０ａで互いに接続させておく。一方、保持片３で他方のスリッパを保持する場合は、接続部３０ａ、３０ａを外し、図５Ｂに示すように各接続保持片３０、３０を底面１５側に回し、底面１５側に配設した他方のスリッパの足裏当接面１３側に回するようにして接続部３０ａ、３０ａで互いに接続させるようにする。
【００４０】
又、この場合において、接続部３０ａ、３０ａは、互いに取り外し自在に接続できる形態のものであれば良く、例えば面ファスナー、磁石，或いはボタン等を用いることができる（この図５Ａ、図５Ｂでは、面ファスナーとして実施したものを示している）。
【００４１】
又、上記実施形態では、保持部３３とスリッパ本体部２の底面１５とによって、他方のスリッパの一部を挟み付けるようにして保持させるものとしているが、他方のスリッパの一部に保持部３３を留めるようにして保持させるものとしても良い。
【００４２】
具体的には、例えば図６Ａ、図６Ｂに示すように、スリッパ本体部２の甲皮２０の上面に、保持片３に設けた保持片留め部３３ａを取り外し自在に留め得る本体留め部２１を設けておく。そして、他方のスリッパを保持しない場合は、この図６Ａ、図６Ｂに示すように保持片３の保持片留め部３３ａを本体留め部２１に留めておく。一方、保持片３で他方のスリッパを保持する場合は、図７に示すように二つのスリッパ１、１を、前後方向を揃えて底面１５、１５同士を合わせた状態で、各々の保持片３の保持片留め部３３ａを本体留め部２１から外して底面１５、１５側に回し、底面１５、１５側に配設した他方のスリッパの本体留め部２１に留めるようにする。尚、この場合においても、保持片留め部３３ａと本体留め部２１とは、互いに取り外し自在に留め得る形態のものであれば良く、例えば面ファスナー、磁石，或いはボタン等を用いることができる（この図６Ａ、図６Ｂ及び図７では、面ファスナーとして実施したものを示している）。
【００４３】
また、上記実施形態では、保持片３の本体取付部３１を、スリッパ本体部２に縫い付けるようにして取り外し不能に取り付けているが、この形態のものに限らず、例えば面ファスナー、磁石，或いはボタン等を用いて取り外し自在に取り付けるようにしても良い。
【００４４】
又、上記実施形態では、保持片３の保持部３３を、スリッパ本体部２の前部側における側面から甲皮２０の上方側にかけての部分に配設しているが、保持片３の保持部３３の配設位置は、スリッパ本体部２の上面から側面にかけての非接地面の一部であれば良い。例えばスリッパ本体部２の後部側の足裏当接面１３の上方側に配設するようにしても良い。ただし、その場合は、スリッパを履いて使用する際に保持部３３を踏むことになって違和感を感じ、或いは、その踏んだ保持部３３を手で掴んで保持するための操作をしなければならず、衛生的に好ましくない。従って、このような点で、上記実施形態のように保持片３の保持部３３を、スリッパ本体部２の前部側の甲皮２０の上方側に配設しておくのが好ましい。
【００４５】
又、図８に示すように、スリッパ本体部２の足裏当接面１３の最先端部が甲皮２０から露出したものから構成する場合、その足裏当接面１３の最先端部に、保持部３３を設けるようにしても良い。このようにしても、足裏当接面の１３の最先端部には、足裏が当接し難く、保持部３３に足裏の当接し難いものにできる。
【００４６】
又、上記実施形態では、保持部３３をスリッパ本体部２の側面から上面にかけて設けているが、例えば図９Ａに示すようにスリッパ本体部２の上面にのみ設け、或いは図９Ｂに示すようにスリッパ本体部２の側面にのみ設け、スリッパ本体部２の上面側或いは側面側から底面側に移動できるようにしても良い。
【００４７】
また、上記実施形態では、保持片３を折り曲げ自在なものから構成し、保持片３を折り曲げることにより、保持片３の一部に形成した保持部３３を回動可能とし、これにより、保持部３３をスリッパ本体部２の上面から側面にかけての非接地面側から底面側に移動できるようにしているが、この形態のものに限らず、適宜変更し得る。例えば保持部３３を折り曲げ不能な棒状体の一部に形成し、保持部３３を有する棒状体をスリッパ本体部２に回動自在、又は、摺動自在に取り付け、棒状体をスリッパ本体部２に対して回動操作又は摺動操作することによって保持部３３をスリッパ本体部２の非接地面側から底面側に移動できるようにしても良い。
【００４８】
更に、上記実施形態では、保持片３の全体を弾性を有する素材から構成し弾性によって伸縮自在なものとしているが、保持片３の一部にそのような伸縮を有する伸縮部を設けたものにしても良い。
【００４９】
又、上記実施形態では、保持部３３を保持片３の一部に形成してスリッパ本体部２の非接地面側から底面側に移動できるようにしているが、移動不能なものにしても良い。例えば一方のスリッパのスリッパ本体部２の側面に、他方のスリッパの側面に設けた面フアスナー等からなる被保持部と保持・保持解除可能に保持する面フアスナー等からなる保持部を設けたものにしておき、二つのスリッパを上下方向及び前後方向を揃えて左右に並べた状態で互いの保持部と被保持部とによって保持させるようにしても良い。ただし、この場合は、下駄箱等に収納する際の収納面積が大きくなってしまう。従って、上記実施形態のように、一対の履物を構成する一方が、履物本体部と、他方を保持・保持解除可能に保持する保持部とを備えたものとし、この保持部は、履物本体部の底面と他方の底面とを当接させた状態で保持できるように、履物本体部の上面から側面にかけての非接地面に設けられたものとしておくことにより、下駄箱等に収納する際の収納面積を小さくでき、有利である。
【００５０】
又、上記実施形態では、同じ構成を採る二つのスリッパ１、１を保持させるようにしているが、例えば本願発明の保持部を有するスリッパ１に、保持部を有しないスリッパを保持させるようにしても良い。
【００５１】
また、本願発明の履物は、スリッパから構成する形態のものに限らず、例えば草履、下駄、上履き用（屋内用）又は下履き用（屋外用）の靴等にも適応でき、適宜変更使用できる。
【図面の簡単な説明】
【図１】本願発明の履物の一実施の形態のスリッパの平面図である。
【図２】その側面図である。
【図３】図２のＩＩＩ―ＩＩＩ線断面図である。
【図４】他方のスリッパを保持させた状態の側面図である。
【図５】図５Ａは、他の実施形態の保持部を有するスリッパの断面図、図５Ｂは、他の実施形態の保持部によって他方のスリッパを保持した状態の断面図である。
【図６】図６Ａは、更に他の実施形態の保持部を有するスリッパの平面図、図６Ｂは、図６ＡのＶＩ−ＶＩ線断面図である。
【図７】図７は、図６Ａに示した実施形態の保持部によって他方のスリッパを保持した状態の断面図である。
【図８】更に他のもう一つの実施形態の保持部を有するスリッパの側面図である。
【図９】図９Ａは、更に他の別の実施形態の保持部を有するスリッパの断面図、図９Ｂは、更に他の別のもう一つの実施形態の保持部を有するスリッパの要部拡大平面図である。
【図１０】従来例の他のスリッパを保持した状態の側面図である。
【図１１】他の従来例の他のスリッパを保持した状態の斜視図である。
【符号の説明】
１・・・・スリッパ
２・・・・スリッパ本体部
３・・・・保持片
１５・・・底面
３３・・・保持部
特許出願人  小西  和也
出願人代理人  弁理士  田川  幸一
【図１】
2005000350.tif 000003
【図２】
2005000350.tif 000004
【図３】
2005000350.tif 000005
【図４】
2005000350.tif 000006
【図５】
2005000350.tif 000007
【図６】
2005000350.tif 000008
【図７】
2005000350.tif 000009
【図８】
2005000350.tif 000010
【図９】
2005000350.tif 000011
【図１０】
2005000350.tif 000012
【図１１】
2005000350.tif 000013